【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
デバイスを自動的に更新するためのシステムであって、
ユーザと関連付けられる一又はそれ以上のファイルと前記デバイスとの間の論理マッピングを維持するためのインターフェースコードを含む該ユーザと関連付けられる一又はそれ以上のファイルを含む一連のファイル、及び、
前記一連のファイルに一又はそれ以上の変更が生じたかどうかを判断し、前記一又はそれ以上の変更に関連する情報を前記ユーザのデバイスに転送するように構成されたサーバ、
を備えることを特徴とするシステム。
【請求項２】
前記一又はそれ以上の変更が、前記一連のファイル内の前記一又はそれ以上のファイルへの変更を含む、
請求項1記載のシステム。
【請求項３】
前記システムが、前記一又はそれ以上のファイルを、前記一又はそれ以上のファイルへの変更を含むファイルで置き換えるように構成された、
請求項2記載のシステム。
【請求項４】
前記一又はそれ以上の変更が、前記一連のファイルへのファイルの追加、前記一連のファイルからのファイルの消去、前記一連のファイル内のファイルの名前変更、の少なくとも１つを含む、
請求項1記載のシステム。
【請求項５】
前記システムが、前記サーバへの前記一又はそれ以上の変更の通知を転送し、前記一又はそれ以上の変更に関連する前記情報を自動的に転送するように構成されており、前記デバイスが無線である、
請求項1記載のシステム。
【請求項６】
前記サーバが、前記一連のファイルへの前記一又はそれ以上の変更が生じたかどうか判断するために、前記一連のファイルに周期的にアクセスするように構成された、
請求項1記載のシステム。
【請求項７】
前記システムが、前記一又はそれ以上の変更と関連付けられる前記情報に独自の識別子を割り当てるように構成された、
請求項1記載のシステム。
【請求項８】
前記サーバが、前記一又はそれ以上の変更と関連付けられる前記情報を操作するように構成された、
請求項1記載のシステム。
【請求項９】
前記一連のファイルが、ファイルシステム、及びディレクトリ構造、の少なくとも１つを含む、
請求項1記載のシステム。
【請求項１０】
前記一連のファイルが、前記サーバ、ユーザコンピュータ、及び前記ユーザと対応付けられる独立したコンピュータ、の少なくとも１つに存在する、
請求項1記載のシステム。
【請求項１１】
前記システムが、前記一連のファイルへの前記一又はそれ以上の変更が前記一連のファイルと関連付けられる所定のグループに関係しているかどうかを判断するように構成された、
請求項1記載のシステム。
【請求項１２】
前記システムが、前記所定のグループに置かれる前記無線デバイスに前記情報を条件付きで転送するように構成された、
請求項11記載のシステム。
【請求項１３】
無線デバイスを自動的に更新するためのシステムであって、
ユーザと関連付けられる一又はそれ以上のファイルと前記無線デバイスとの間の論理マッピングを維持するためのインターフェースコードを含む該ユーザと関連付けられる一又はそれ以上のファイルを含む一連のファイルを作成するように構成されたユーザコンピュータ、
前記ユーザコンピュータに接続され、前記一連のファイルを調べて、前記ユーザコンピュータ上の前記一連のファイルに一又はそれ以上の変更が生じたかどうかを判断し、前記一又はそれ以上の変更と関連付けられる情報を受け取り、前記情報を自動的に転送するように構成されたサーバ、及び、
前記サーバから前記情報を受け取るように構成された無線デバイス、
を備え、前記情報を利用して、前記無線デバイス上の一又はそれ以上のファイルが自動的に更新されて、前記ユーザコンピュータ上の前記一連のファイルへの前記一又はそれ以上の変更を反映するようになったことを特徴とするシステム。
【請求項１４】
前記サーバが、前記一連のファイルに対する前記一又はそれ以上の変更が通知されるようにするために、前記一連のファイルに登録するように構成された、
請求項13記載のシステム。
【請求項１５】
前記一又はそれ以上の変更が、前記一連のファイルへのファイルの追加及び前記一連のファイルからのファイルの消去の少なくとも１つを含む、
請求項13記載のシステム。
【請求項１６】
前記一又はそれ以上の変更が、前記一連のファイル内の前記一又はそれ以上のファイルの変更を含む、
請求項13記載のシステム。
【請求項１７】
前記サーバが、前記一連のファイルへの前記一又はそれ以上の変更が生じたかどうかを判断するために、前記一連のファイルに周期的にアクセスするように構成された、
請求項13記載のシステム。
【請求項１８】
前記システムが、前記一又はそれ以上の変更と関連付けられる前記情報に、独自の識別子を割り当てるように構成された、
請求項13記載のシステム。
【請求項１９】
前記サーバが、前記一又はそれ以上の変更と関連付けられる前記情報を操作するように構成された一又はそれ以上のモジュールを含む、
請求項13記載のシステム。
【請求項２０】
デバイスを自動的に更新する方法であって、
ユーザと関連付けられる一又はそれ以上のファイルを含む一連のファイルに、一又はそれ以上の変更が生じたかどうかを判断するステップ、
前記ユーザと関連付けられる一又はそれ以上のファイルと前記デバイスとの間の論理マッピングを維持するステップ、
前記一又はそれ以上の変更に関連する情報を受け取るステップ、
前記情報をデバイスに自動的に転送するステップ、及び、
前記情報を利用して、前記デバイス上の一又はそれ以上のファイルを自動的に更新して、前記一又はそれ以上の変更を前記一連のファイルに反映するステップ、
を含むことを特徴とする方法。
【請求項２１】
一又はそれ以上の変更が一連のファイルに生じたか判断するステップが、ファイルが前記一連のファイルに追加されたかどうか、及びファイルが前記一連のファイルから消去されたかどうか、の少なくとも１つを判断することを備える、
請求項20記載の方法。
【請求項２２】
一又はそれ以上の変更が一連のファイルに生じたか判断するステップが、前記一連のファイル内の前記一又はそれ以上のファイルが変更されたか判断することを備える、
請求項20記載の方法。
【請求項２３】
前記無線デバイスへの前記一又はそれ以上の変更の通知を転送するステップ、
をさらに備える請求項20記載の方法。
【請求項２４】
前記一連のファイルへの前記一又はそれ以上の変更が生じたかどうかを判断するために、前記一連のファイルに自動的にアクセスするステップ、
をさらに備える請求項20記載の方法。
【請求項２５】
前記一又はそれ以上の変更と関連付けられる前記情報に、独自の識別子を割り当てるステップ、
をさらに備える請求項20記載の方法。
【請求項２６】
前記一又はそれ以上の変更と関連付けられる前記情報を操作するステップ、
をさらに備える請求項20記載の方法。
【請求項２７】
前記一連のファイルが、ファイルシステム及びディレクトリの少なくとも１つを含む、
請求項20記載の方法。
【請求項２８】
前記一連のファイルが、サーバ、ユーザコンピュータ、及び、前記ユーザと対応付けられる独立したコンピュータの少なくとも１つに存在する、
請求項20記載の方法。
【請求項２９】
前記一連のファイル内の前記一又はそれ以上の変更が、前記一連のファイルと関連付けられる所定のグループと関連付けられるかどうかを判断するステップ、
をさらに備える請求項20記載の方法。
【請求項３０】
前記所定のグループに置かれる前記無線デバイスに、前記情報を条件付きで転送するステップ、
をさらに備える請求項20記載の方法。
【請求項３１】
命令のセットが格納されたマシン読み取り可能な媒体であって、
前記命令のセットは、マシンによって実行される時、該マシンに、
ユーザと関連付けられる一連のファイルに一又はそれ以上の変更が生じたかどうか、を判断させ、
前記ユーザと関連付けられる一又はそれ以上のファイルとデバイスとの間の論理マッピングを維持させ、
前記一又はそれ以上の変更と関連付けられる情報を受け取らせ、
前記情報を無線デバイスに自動的に転送させ、及び、
前記情報を利用して、前記無線デバイス上の一又はそれ以上のファイルを自動的に更新させて、前記一連のファイルにおける前記一又はそれ以上の変更を反映させる、
ことを特徴とする媒体。
【請求項３２】
無線デバイスを自動的に更新するための装置であって、
一又はそれ以上の変更がユーザと関連付けられる一連のファイルに生じたかどうか、をサーバにおいて判断するための手段、
前記ユーザと関連付けられる一又はそれ以上のファイルと前記無線デバイスとの間の論理マッピングを維持するための手段、
前記一又はそれ以上の変更と関連付けられる情報を、前記サーバにおいて受け取るための手段、
前記サーバを利用して前記情報を格納するための手段、及び、
前記情報を、前記サーバから無線デバイスに自動的に転送するための手段、
を備えることを特徴とする装置。
【請求項３３】
無線デバイスを自動的に更新する方法であって、
ユーザと関連付けられる一又はそれ以上のファイルを作成するステップ、
前記ユーザと関連付けられる一又はそれ以上のファイルと前記無線デバイスとの間の論理マッピングを維持するステップ、
前記一又はそれ以上のファイルを組織化するためのディレクトリ構造を生成するステップ、
前記ディレクトリ構造内で一又はそれ以上の変更が生じた、という通知を受け取るステップ、
その時点で前記ディレクトリ構造内に生じた前記一又はそれ以上の変更があるかどうかについて、一連のファイルを周期的に監視するステップ、
前記通知及び前記監視の少なくとも１つを受けて、前記一又はそれ以上の変更と関連付けられる情報を受け取るステップ、
前記情報に独自の識別子を割り当てるステップ、
前記独自の識別子とともに前記情報を、ユーザと対応付けられる無線デバイスに自動的に転送するステップ、
前記情報を利用して、前記無線デバイス上の一又はそれ以上のファイルを自動的に更新して、前記ディレクトリ構造内の前記一又はそれ以上の変更を反映するステップ、及び、
前記ユーザに前記更新を通知するステップ、
を備えることを特徴とする方法。